(57)【特許請求の範囲】
【請求項１】
画像データおよび該画像データに対応する音声データを取り込む画像／音声データインターフェース手段と、
前記画像データおよび前記音声データを管理保存する記録手段と、
前記音声データをテキストデータに変換する音声データ変換手段と、
前記音声データ変換手段が変換したテキストデータを複数の意味のある文字列に分離し、分離した各文字列に対してタイトルまたはコメントの属性を付与するテキスト属性識別手段と、
前記音声データ変換手段により変換されたテキストデータの中で前記テキスト属性識別手段によりコメントの属性が付与されたテキストを、対応する画像の内部に配置して前記テキストと対応する画像とを合成する画像／テキスト合成手段と、
前記テキストと合成された画像の検索、ソートを行う検索・ソート手段と、
ソート結果に基づいて画像を配置してアルバムを作成するアルバム作成手段と、
を備え、
前記音声データが、前記画像データに基づく画像に含まれる被撮影者によって発声されたコメントのデータを含み、前記画像の内部に配置するテキストが、前記コメントをテキストに変換したものであり、
前記画像／テキスト合成手段は、前記対応する画像に含まれる顔部分を抽出し、前記顔部分と重ならない位置に前記テキストを配置する
ことを特徴とする電子アルバム編集装置。
【請求項２】
請求項１に記載の電子アルバム編集装置であって、
前記アルバム作成手段が、前記検索・ソート手段で検索・ソートされ、一覧表示された複数の画像データの中から選択した画像データを、選択した順序で予め作成されたフレーム画面上に自動的にレイアウトすることでアルバムを作成することを特徴とする電子アルバム編集装置。
【発明の詳細な説明】
【０００１】
【発明の属する技術分野】
本発明は、デジタルカメラなどで撮影した画像データに基づく電子アルバムの編集を行う電子アルバム編集装置に関する。
【０００２】
【従来の技術】
結婚式やパーティなど各種イベントの記念にそのとき撮影した写真をアルバムにしてプレゼントする様なことが頻繁に行われている。例えば、結婚式の披露宴で撮影した写真に、出席者がお祝いや激励のコメントを書き添え、それをアルバムにして新郎新婦に贈る場合である。
【０００３】
従来、このようなときは、出席者がその場でコメントなどを記述できるように、インスタントカメラなどで撮影を行い、その写真を被撮影者に渡して、写真に氏名やコメントを記述してもらう方法が一般的であった。そして、それらの写真を整理して貼り付けてアルバムを作成していた。
【０００４】
ところが、上記の手法では、撮影者が被撮影者に１枚づつ写真を渡したり、渡した写真を回収したりする必要があり、時間と手間がかかるため煩わしいという問題があった。また、場合によっては被撮影者が誤って写真を持ち帰ったりして回収できないこともあった。
【０００５】
また、被撮影者も例えば披露宴の最中やその後に筆記用具で写真にコメントなどを書き込むのは時間がかかり、進行中の催しが見られない、食事ができないなど、煩わしいという問題があった。特に、筆記用具の準備がない場合などは、他人に借りたり、順番を待ったりして記述しなければならず、時間がかかっていた。
【０００６】
さらに、回収した写真を、レイアウトし、貼り付け、アルバムを作成するという過程においては、例えば親族、友人などといったグループごとに写真を分類する作業が発生するが、写真を１枚１枚見ながら行うこの作業も時間と手間がかかるという問題があった。特に、作業を行う者と写真の被撮影者とが面識がない場合、どのグループに入れて属するのか分からず、それを調べるのにさらに時間と手間がかかり、アルバム作成が煩わしくなっていた。
【０００７】
以上のように、写真撮影からアルバム作成までは、特にコメントなどの記述と、レイアウトなどの編集に多大な手間と時間がかかり、この作業を行う者には大変な負担となっていた。
【０００８】
一方、デジタルカメラなどで撮影した画像データでは画像内にテキストを合成できるが、カメラやパソコンなどからの文字を入力する必要があり、一般には現像または印刷された写真に直接手書きした方が早いため、有効に利用されていなかった。また、電子アルバムを作成するためのソフトウェアなども市販されているが、画像の選択は操作者が行う必要があり、レイアウトの決定には現像または印刷された写真を並べるのと同様の手間と時間がかかっていた。
【０００９】
【発明が解決しようとする課題】
本発明は上記事情に鑑みてなされたもので、写真撮影から編集を経てアルバム作成までの作業量を低減し、容易に電子アルバムを作成することができる電子アルバム編集装置を提供することを目的とする。
【００１０】
【課題を解決するための手段】
請求項１記載の電子アルバム編集装置は、画像データおよび該画像データに対応する音声データを取り込む画像／音声データインターフェース手段と、前記画像データおよび前記音声データを管理保存する記録手段と、前記音声データをテキストデータに変換する音声データ変換手段と、前記音声データ変換手段が変換したテキストデータを複数の意味のある文字列に分離し、分離した各文字列に対してタイトルまたはコメントの属性を付与するテキスト属性識別手段と、前記音声データ変換手段により変換されたテキストデータの中で前記テキスト属性識別手段によりコメントの属性が付与されたテキストを、対応する画像の内部に配置して前記テキストと対応する画像とを合成する画像／テキスト合成手段と、前記テキストと合成された画像の検索、ソートを行う検索・ソート手段と、ソート結果に基づいて画像を配置してアルバムを作成するアルバム作成手段と、を備え、前記音声データが、前記画像データに基づく画像に含まれる被撮影者によって発声されたコメントのデータを含み、前記画像の内部に配置するテキストが、前記コメントをテキストに変換したものであり、前記画像／テキスト合成手段は、前記対応する画像に含まれる顔部分を抽出し、前記顔部分と重ならない位置に前記テキストを配置することを特徴とする。
【００１１】
この構成によれば、例えば「おめでとうございます」と言う音声で表されたコメントがテキストデータに変換され、画像の内部に合成されるため、アルバム編集が簡単に行える。
【００１３】
また、被撮影者の「おめでとうございます」と言うような音声で表されたコメントがテキストデータに変換されて、被撮影者の画像の内部に合成される。
【００１５】
また、音声データから変換されたテキストデータを複数に分け、写真のタイトル、被撮影者のコメントなどの属性を割り当てることができるので、例えば、タイトルは画像の外部に、コメントは画像内の人物の下に合成するなど、任意の属性を選択して、対応する画像にそれぞれのテキストを別々に自動合成できる。そのため、画像へのテキスト挿入やレイアウト作業が簡略化され、アルバム編集が簡単に行える。さらに、属性を増やすことにより、画像データの詳細な分類が可能となるので、複数のキーワードを組み合わせた高度な検索やソートも可能となる。
【００１７】
また、画像／テキスト合成手段で画像のパターン認識を行い、例えば、人物の顔に相当するような部分を避け、画像内の適切な位置に音声データから変換されたテキストの合成が自動的に行われるので、画像へのテキスト挿入やレイアウト作業が簡略化され、アルバム編集が簡単に行える。
【００１８】
請求項２記載の電子アルバム編集装置は、請求項１において、前記アルバム作成手段が、前記検索・ソート手段で検索、ソートされ、一覧表示された複数の画像データの中から選択した画像データを、選択した順序で予め作成されたフレーム画面上に自動的にレイアウトすることでアルバムを作成することを特徴とする。
【００１９】
この構成によれば、画像データまたはテキストが合成された画像データが、選択された順番でフレーム画面上に自動的にレイアウトされるので、写真のレイアウト作業が簡略化され、アルバム作成が簡単に行える。
【００２０】
【発明の実施の形態】
以下、本発明における実施の形態について図面を用いて説明する。図１は本発明の第１の実施形態に係る電子アルバム編集装置の内部構成を示すブロック図である。同図に示すように、電子アルバム編集装置１００は、主として、デジタルカメラやパソコンなどの画像／音声データ記録手段２００から画像データおよび対応する音声データの受け取りを行う画像／音声データインターフェース手段１１、画像データおよび対応する音声データを記録する記録手段１２、音声データをテキストデータに変換する音声データ変換手段１３、変換されたテキストデータの属性を識別するテキスト属性識別手段１４、テキストデータのテキストに基づき画像データの検索およびソートを行う検索・ソート手段１５、テキストデータと画像とを合成する画像／テキスト合成手段１６、ソート結果に基づいて画像を配置しアルバムを作成するアルバム作成手段１７、電子アルバム編集装置１００の各部の動作を制御する制御手段１８、各種操作スイッチを含む入力手段１９、外部モニタなどの表示手段３００に接続して画像データを表示するための表示用インターフェース手段２０、印刷手段４００に接続して作成したアルバムを印刷するための印刷用インターフェース手段２１、で構成される。
【００２１】
本実施の形態では、画像データおよび対応する音声データを、デジタルカメラやパソコン、携帯電話、ＰＤＡ（携帯情報端末）などの外部機器から、電子アルバム編集装置１００へ取り込む構成としている。
【００２２】
画像／音声データインターフェース手段１１は、画像／音声データ記録手段２００において所定の方式で処理された画像データを受け取り、電子アルバム編集装置の記録手段１２に保存する。画像データの取り込みは、画像／音声データ記録手段２００から有線、無線いずれの方法で行ってもよい。
【００２３】
また、画像／音声データインターフェース手段１１は、着脱可能な記録媒体（例えば、スマートメディアと呼ばれるカード型ＩＣメモリ）に対応した読み出し装置で構成してもよい。記録媒体はメモリカードに限らず、ＰＣカード、磁気ディスク、光磁気ディスクなど種々の形態が可能である。この場合、画像データが保存された記録媒体を、画像／音声データインターフェース手段１１に挿入し、読み出しを行えば画像データの取り込みが完了する。
【００２４】
なお、圧縮された画像／音声データの伸張処理もこの画像/音声データインターフェース手段１１で行う。
【００２５】
記録手段１２は本体内蔵メモリで構成され、画像データおよび対応する音声データ、変換されたテキストデータ、テキストを合成した画像データ、アルバムを構成する画像データの配置順序など、各種データを保存する。また、各種制御プログラムも格納する。
【００２６】
音声データ変換手段１３は、音声データを、音声認識ソフトウェアなどにより公知の方法でテキストデータに変換する。なお、変換されたテキストデータは、対応する画像データおよび音声データと関連付けて保存される。
【００２７】
テキスト属性識別手段１４は、変換されたテキストデータを分離、識別するブロックで、音声を入力する際に挿入された無録音部分やマーカ部分によりテキストを複数の文字列に分離して認識する。それぞれの文字列に属性を付与し、１つの画像データに複数のテキスト情報を保持することができる。
【００２８】
検索・ソート手段１５は、テキストデータのテキストに基づいて画像データの検索およびソートを行う。検索やソートの結果は、抽出した画像データのサムネイル画像の一覧表示（インデックス画面）で行われる。
【００２９】
画像／テキスト合成手段１６は、選択された属性のテキストデータを対応する画像に合成する画像処理部で構成される。テキストの配置は、画像の内部、外部のいずれも可能であり、画像の内部に合成する場合、画像データの人物の顔を、画像処理による輪郭および色抽出によってパターン認識し、テキストが人物の顔画像に重ならないように自動配置する。パターン認識は公知の手法を用いてかまわない。テキストの配置は、予め設定した複数の候補位置（例えば画像右上部など）を優先順位の高い方から順番に判定して決定する。また、テキストの色やフォント、サイズ、文字が所定数を超過した場合の処理方法（折り返して表示させるか、フォントサイズを小さくするかなど）は電子アルバム編集装置の初期設定で予め設定しておく。
【００３０】
アルバム作成手段１７は、検索・ソート手段１５のソート結果に基づいて画像を予め指定した台紙（フレーム画面）に配置しアルバムを作成する。
【００３１】
制御手段１８は中央演算処理装置（ＣＰＵ）を含むブロックであり、電子アルバム編集装置１００の各回路を統括制御する処理部である。入力手段１９からの入力信号に応じて動作の制御を行い、音声データのテキスト変換、画像データの検索・ソート、テキストの合成、アルバム作成などの実行命令や各種演算処理を行う。
【００３２】
入力手段１９は、電子アルバム編集装置１００のスイッチ、ボタン類で構成され、各種操作の実行を制御手段１８に伝達する。
【００３３】
表示用インターフェース手段２０は、モニタなどの表示手段４００を接続して画像データや作成したアルバムの各ページを表示するための接続部である。
【００３４】
印刷用インターフェース手段２１は、プリンタなどの印刷手段５００を接続して画像や作成したアルバムなどを印刷するため接続部である。
【００３５】
次に、この電子アルバム編集装置の動作について図２を用いて説明する。図２は、本実施形態における電子アルバム編集装置のアルバム編集の流れを示すフローチャートである。
【００３６】
はじめに、画像／音声データインターフェース手段１１を介して画像／音声データの取り込みを行う（Ｓ１０１）。画像／音声データ記録手段２００がデジタルカメラの場合、接続ケーブルを通じて画像／音声データが電子アルバム編集装置１００の記録手段１２に保存される。また、前述の通り、画像／音声データ記録手段２００が各種記録媒体の場合、それぞれの記録媒体の読み出し装置で構成される画像／音声データインターフェース手段１１に、該当する記録媒体を装着して、同様に記録手段１２にデータを保存し、データの取り込みを行う。
【００３７】
次に取り込んだ画像／音声データのデータ処理を行う（Ｓ１０２）。このデータ処理の詳細は図３のフローチャートを用いて説明する。
【００３８】
図３は、画像／音声データのデータ処理の流れを示すフローチャートである。はじめに、制御手段１８が、電子アルバム編集装置１００の記録手段１２に保存された画像／音声データを読み込み（Ｓ２０１）、読み込まれた画像データに音声データが付加されているかどうかを判断する（Ｓ２０２）。
【００３９】
音声データが付加している場合、その音声データは音声データ変換手段１３でテキストデータに変換される（Ｓ２０３）。
【００４０】
ところで、音声データは、複数の情報が区切られて録音されている。図４は、音声データおよびテキストデータの構成を概念的に示した模式図である。例えば、図４では、被撮影者の名前「佐藤」のあとにお祝いの言葉「おめでとう」が記録されている。記録の区切りとしては、無録音部やマーカ部を用いる。このような音声データは、例えばデジタルカメラの撮影時に、被撮影者が、まず自分の名前を名乗ってから、お祝いの言葉を述べ、それを録音することで作成される。その他にも、例えばデジタルカメラの撮影時に、まず撮影者が「結婚式」と発声して録音し、そのあとで被撮影者に「おめでとうございます」と発声してもらうような記録方法でも音声データが作成できる。この場合、タイトルが「結婚式」でコメントが「おめでとうございます」となる。
【００４１】
これらの区切りによって分けて記録された情報を、例えば図４のようにタイトルとコメントという属性に分けて処理するためには、変換されたテキストデータも属性で分離する必要がある。そこで、変換されたテキストデータは、テキスト属性識別手段１４で、属性ごとに分離、識別される（Ｓ２０４）。テキストデータは、属性ごとに対応する画像データおよび音声データに関連づけて記録手段１２に保存される。なお、音声データに含める情報（属性）の種類や内容については電子アルバム編集装置の初期設定（フローチャートには図示せず）で決定できる。
【００４２】
次に、テキストデータの画像への合成を行うかどうかを選択し（Ｓ２０５）、合成を行う場合はテキストの配置形式を選択する（Ｓ２０６）。配置形式とは、どの属性のテキストデータを画像のどこに合成するかの設定であり、例えば、図４では、「タイトル」という属性のテキストを画像の下部中央に、「コメント」という属性のテキストを画像内に合成するように設定したときの合成画像の模式図を示している。もちろん、両方のテキストを画像内に合成するように設定してもいいし、どちらか一方のテキストだけを合成するように設定してもかまわない。また、属性の種類が多い場合はさらに複雑な配置を設定することが可能である。
【００４３】
配置形式を選択したら、実際に合成を行うまえに、画像データの顔画像を抽出してパターン認識を行う（Ｓ２０７）。そして、画像内の人物の顔部分を避け、顔にテキストが重ならないようにしてテキストデータが自動合成される（Ｓ２０８）。合成するときのテキストの大きさやフォント、色、テキストが長い（文字数が多い）場合の処理方法などは、予め決定した設定に従って実行される。
【００４４】
これで画像／音声データのデータ処理が完了する。以上のデータ処理は、電子アルバム編集装置１００の記録手段１２に保存されている画像データすべてに対して行われ、テキストが合成された画像のデータは、記録手段１２に保存される。保存するデータは、画像に配置するテキストの属性、位置、大きさやフォント等の情報などであってもよい。
【００４５】
次に、再び図２に戻り、アルバム印刷モードの設定を行う（Ｓ１０３）。印刷モードは、印刷出力する際にアルバム１ページに表示する画像の数によって選択する。本実施の形態では、図５に示すように、１ページに１つの画像を表示する「１枚表示」、複数の画像を表示する「マルチ」、そして小さなサムネイル画像を表示する「ＩＮＤＥＸ（インデックス）」の３モードを選択できるようになっている。「マルチ」を選択した場合は、１ページに表示する画像の数も指定できる。「１枚表示」や「マルチ」を選択すると、複数ページの台紙（フレーム画像）が作成され、それらを印刷してファイルすることでアルバムが完成する。「ＩＮＤＥＸ（インデックス）」は確認用であり、表示されるページは１ページまたは少ないページ数となる。
【００４６】
次に、印刷出力する際の用紙のサイズやレイアウトなどを選択する（Ｓ１０４）。ここで、写真（画像データ）を貼り付ける台紙（フレーム画像）も選択できるようにすることが望ましい。フレーム画像は、例えば無地（白）や花模様など、予め複数の種類が設定されている。
【００４７】
印刷出力に関する設定が終了すると、記録されている画像データのサムネイル画像がすべて一覧表示される（Ｓ１０５）。表示内容は、表示用インターフェース手段２０に接続した表示手段３００で確認できる。
【００４８】
次に、一覧の中からアルバムに採用する画像を選択する（Ｓ１０６）。画像の選択は、サムネイル画像を一つ一つ選択して行ってもよいし、既に画像データと関連付けて保存されている各属性のテキストデータに基づいて、検索・ソート手段１５で、検索、抽出してもよい。例えば、タイトルとコメントという２つの属性を設けている場合、タイトルが「結婚式」の画像だけを抽出したり、コメントに「おめでとう」という文字が含まれている画像を抽出したりすることができる。さらにタイトルという属性にテキストデータがある画像をすべて抽出するといった検索なども可能である。
【００４９】
また、キーワードを複数設定した検索、抽出も可能で、キーワードを複数設定する場合は、アンド検索やオア検索も行える。このように、キーワードによる画像の検索、抽出を行う場合、表示手段３００に表示されるグラフィカルユーザーインターフェース（ＧＵＩ）画面に従って、キーワードの入力や設定を行う。抽出後は選択した画像だけが、サムネイル画像で一覧表示される。
【００５０】
次に、アルバム用に選択した画像の配置方法を選択する（Ｓ１０７）。一覧表示のサムネイル画像を１つ１つ選択して画像データの順番を決定するか（Ｓ１０８）、検索・ソート手段１５で画像データの順序を自動的にソートするかを選択する。自動を選択する場合は、まずソートモード選択する（Ｓ１０９）。
【００５１】
本実施の形態では、「テキストデータ」、「記録時刻」、「ランダム」の３つのモードを選択できる。「テキストデータ」では、任意の属性のテキストデータに基づいて画像データのソートを行う。例えば、タイトルが被撮影者の名前になっている場合、このタイトルを五十音順にソートすれば、名前順に画像が並べられる。「記録時刻」では、画像データに付加している撮影日時の情報に基づいて、画像データのソートを行う。「ランダム」では、画像データをランダムにソートする。モードを選択すると自動ソートが実行され（Ｓ１１０）、画像データの順番が決定される。
【００５２】
手動あるいは自動により順番を決定した画像データは、予め指定した台紙（フレーム画面）に、決定した順番で自動的に貼り付けられ、図５のいずれかに示すようなプレビュー表示が行われる（Ｓ１１１）。次に、アルバムとして印刷出力を行うかどうか選択し（Ｓ１１２）、印刷する場合は枚数を設定してから（Ｓ１１３）、印刷を実行する（Ｓ１１４）。印刷は、印刷用インターフェース手段２１に接続された印刷手段４００で実行される。
【００５３】
アルバム印刷が終了するか、印刷しないを選択した場合、印刷用の設定や画像の配置順序などのアルバム関連のデータが記録手段１２に保存され（Ｓ１１５）、アルバム編集作業が終了する（Ｓ１１６）。保存したアルバム関連のデータを再度読み出すことで、同じ構成の電子アルバムを再現することが可能である。
【００５４】
なお、上記アルバム編集に関するあらゆる入力や選択は、表示用インターフェース手段２０に接続した表示手段３００に表示されるＧＵＩ（グラフィカルユーザーインターフェース）画面を見ながら、電子アルバム編集装置１００の入力手段１９を通じて実行できる。
【００５５】
次に本発明の第２の実施の形態について説明する。図６は、本発明の第２の実施形態に係る電子アルバム編集装置の内部構成を示したブロック図である。本実施の形態は、前述の電子アルバム編集装置の機能に、撮像手段２２、レンズ２３、録音手段２４、音声出力手段２５を付加し、所謂デジタルカメラ一体型に構成したものである。
【００５６】
撮像手段２２は、撮像素子としてのＣＣＤを含み、レンズ２３及び図示せぬ絞り装置を介してＣＣＤの受光面に結像される被写体の光学像を電子画像信号に変換し、画像信号処理を行うブロックである。本実施の形態に搭載されているＣＣＤは、シャッタゲートパルスのタイミングによって各受光センサの電荷蓄積時間（シャッタースピード）を制御する、いわゆる電子シャッター機能を有している。また、制御手段１８からの入力信号に応じて、レンズ２２のズーミング動作や自動焦点調節（ＡＦ）動作、自動露出調節（ＡＥ）制御などを行う。ブロック内の画像信号処理回路（図示せず）は制御手段１８の指令に従って画像信号を取り込み、その受入した画像信号に基づいて色分離、ゲイン調整、Ａ／Ｄ変換等の所定の処理を行うとともに、輝度信号（Ｙ信号）及び色差信号（Ｃ信号）の生成、ガンマ補正処理、圧縮処理その他の信号処理を行う。
【００５７】
録音手段２４は、撮影時あるいは撮影後に画像データに付加される音声データを録音するためのマイクで構成され、音声出力手段２５は、録音された音声データを再生するためのスピーカで構成される。
【００５８】
本実施の形態ではＬＣＤや有機ＥＬディスプレイなどの表示手段２６が電子アルバム編集装置側に構成されている。また、入力手段１９には、画像撮影を行うためのシャッターボタンや、音声を記録するための録音ボタン、音声記録時に区切りのマーカを記録するためのマーカスイッチなどが含まれる。その他の構成は第1の実施の形態と同じであるので説明を省略する。
【００５９】
次に、この電子アルバム編集装置の動作について図７を用いて説明する。図７は、本実施の形態における電子アルバム編集装置のアルバム編集の流れを示すフローチャートである。
【００６０】
はじめに、撮像手段２２で被写体像の撮影を、録音手段２４で音声データの録音を行う（Ｓ３０１）。画像信号は、アナログ信号処理された後、デジタル信号に変換され、再び信号処理されて、画像／音声データインターフェース手段１１を通じて記録手段１２に一時的に保存される（Ｓ３０２）。ここで、画像モニタ用の表示手段２６に表示する場合は、一時保存した画像データを読み出してディスプレイに送り表示させることができる。また、撮影後の画像データは、画像／音声データインターフェース手段１１で圧縮して保存することが望ましい。なお、撮影モードによっては圧縮の過程を省いて記録されることもありうる。
【００６１】
音声データは、撮影時に同時に録音することが可能である。例えば、画像データの取得はシャッターボタンを押した瞬間に行い、音声の記録はシャッターボタンを押し続けている間継続するような構成にすればよい。また、撮影した画像データを表示手段２６で再生しているときに録音ボタンを押すと、録音ができ、その画像データに音声データを付加することができるようにしておけば、撮影後にも音声データを付加することが可能となる。
【００６２】
音声データに複数の情報を録音して属性を付与するには、図４に示すように、録音中に何も音を発しない無録音部を所定秒数以上作成するか、同じく録音中にマーカスイッチを押して区切り（マーカ）を記録する。この無録音部やマーカ部は音声データ変換手段１３でテキストデータに変換される際、所定のテキスト（記号）に変換され、これをテキスト属性識別手段１４で検出し、テキストデータの属性が識別される。
【００６３】
作成された画像／音声データのデータ処理（Ｓ３０３）以降のステップは第１の実施の形態と同じであるため、説明を省略する。
【００６４】
第２の実施の形態においては、撮像手段２２や録音手段２３が電子アルバム編集装置側に組み込まれているため、画像／音声データを取り込むための接続や操作が不要となり、画像の取得が簡単に行える。
【００６５】
【発明の効果】
以上、本発明の電子アルバム編集装置によれば、例えば結婚式で被撮影者が「おめでとうございます」と音声で表したコメントがテキストデータに変換されて、被撮影者が写る画像の内部に合成されるため、画像へのテキスト挿入やレイアウト作業が簡略化され、アルバム編集が簡単に行える。
【図面の簡単な説明】
【図１】本発明の第１の実施形態に係る電子アルバム編集装置について、内部構成を示したブロック図である。
【図２】本発明の第１の実施形態に係る電子アルバム編集装置について、電子アルバム編集の流れを示すフローチャートである。
【図３】本発明の第１の実施形態に係る電子アルバム編集装置について、画像／音声データのデータ処理の流れを示すフローチャートである。
【図４】音声データおよびテキストデータの構成と、テキストを属性ごとに別な位置に合成する様子を概念的に示した模式図である。
【図５】作成する電子アルバムの１ページに表示する画像データの配置例を示した模式図である。
【図６】本発明の第２の実施形態に係る電子アルバム編集装置について、内部構成を示したブロック図である。
【図７】本発明の第２の実施形態に係る電子アルバム編集装置について、電子アルバム編集の流れを示すフローチャートである。
【符号の説明】
１１  画像／音声データインターフェース手段
１２  記録手段
１３  音声データ変換手段
１４  テキスト属性識別手段
１５  検索・ソート手段
１６  画像／テキスト合成手段
１７  アルバム作成手段
１８  制御手段
１９  入力手段
２０  表示用Ｉ／Ｆ
２１  印刷用Ｉ／Ｆ
２２  撮像手段
２３  レンズ
２４  録音手段
２５  表示手段
１００  電子アルバム編集装置
２００  画像／音声データ記録手段
３００  表示手段
４００  印刷手段
５００  電子アルバム編集装置（カメラ機能付き）
【図１】
0004240867.tif 000002
【図２】
0004240867.tif 000003
【図３】
0004240867.tif 000004
【図４】
0004240867.tif 000005
【図５】
0004240867.tif 000006
【図６】
0004240867.tif 000007
【図７】
0004240867.tif 000008